【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
加圧下でカプセル内に流体を供給することにより物質を抽出及び／又は溶解することによって飲用可能な飲料を調製するための物質を収容しているカプセルであって、
前記カプセルは、カプセル本体中心軸線を有するアルミニウムカプセル本体を含み、
前記カプセルのカプセル円周方向は、前記カプセル本体中心軸線を中心として延び、
前記アルミニウムカプセル本体は、底部、側壁、及び外向きに延びるフランジを備え、
前記カプセルは、前記外向きに延びるフランジに取り付けられたアルミニウム蓋を更に含み、
前記蓋は、前記カプセルを密封して閉じ、
前記側壁、前記底部、及び前記蓋は、前記カプセル内部空間を囲み、
前記蓋は、前記内部空間から離れるように向いた外側蓋面を有し、
前記カプセルは、前記カプセルが前記飲料調製装置の前記囲み部材内に位置決めされ、前記囲み部材が前記飲料調製装置の抽出プレートなどの前記飲料調製装置の閉じ部材によって閉じられるときに、前記カプセルの前記外向きに延びるフランジと、前記カプセルの前記封止部材の少なくとも一部分とが、前記飲料調製装置の前記囲み部材と実質的に封止係合するように、飲料調製装置の囲み部材との流体封止接触を提供するために、前記外向きに延びるフランジに封止部材を更に含み、
前記飲料調製装置の前記囲み部材は、環状要素中心軸線と自由接触端とを有する環状要素を含み、
前記環状要素の前記自由接触端は、任意選択的に、半径方向に延びる複数の開放溝を備える、カプセルにおいて、
前記カプセルは、弾性支持構造を更に含み、
前記弾性支持構造は、前記外側蓋面の支持構造取り付け領域において前記蓋の前記外側蓋面に取り付けられており、
前記カプセル本体中心軸線に沿った突起部として見られる前記支持構造取り付け領域は、前記カプセルが完全に真っ直ぐな基準面上に前記弾性支持構造によって自由に静止しているときに、前記弾性支持構造が前記外向きに延びるフランジと前記完全に真っ直ぐな基準面との間にある間隔を提供し、
前記間隔が、前記カプセルの円周方向の全周にわたって一定であるように、前記外向きに延びるフランジに沿って少なくとも部分的に、及びカプセルの円周方向において少なくとも部分的に延びている
ことを特徴とする、カプセル。
【請求項２】
前記カプセルが前記飲料調製装置の前記囲み部材内に位置決めされ、前記囲み部材が前記飲料調製装置の前記閉じ部材によって閉じられるときに、前記カプセルの円周方向の複数の部に沿った前記弾性支持構造が、前記弾性支持構造を少なくとも半径方向に通過し、前記カプセルの前記蓋の前記外側蓋面と前記飲料調製装置の前記閉じ部材との間に延びる飲料漏れ通路を画定する、
請求項１に記載のカプセル。
【請求項３】
前記支持構造取り付け領域は、前記カプセルの円周方向における全周の閉ループ形状に対して、少なくとも１つの中断部を有する形状を有し、前記蓋の前記外側蓋面上の前記カプセル本体中心軸線に沿った突起部に見られるように、前記飲料漏れ通路のうちの少なくとも１つの第１の飲料漏れ通路は、前記閉ループ形状に対して、それぞれ前記少なくとも１つの中断部に対応している、
請求項２に記載のカプセル。
【請求項４】
前記飲料漏れ通路のうちの少なくとも１つの第２の飲料漏れ通路は、前記カプセルが前記完全に真っ直ぐな基準面上に前記弾性支持構造によって自由に静止しているときに、前記弾性支持構造が、前記カプセル本体中心軸線に沿って測定される局所的に減少した高さを有し、前記局所的に減少した高さが、前記外向きに延びるフランジと前記完全に真っ直ぐな基準面との間の前記間隔よりも狭くなるように前記弾性支持構造によって画定されている、
請求項２又は３に記載のカプセル。
【請求項５】
前記外向きに延びるフランジと前記完全に真っ直ぐな基準面との間の前記間隔は、少なくとも０．１ｍｍ、好ましくは少なくとも０．２ｍｍ、より好ましくは少なくとも０．８ｍｍである、
請求項１〜４のいずれか一項に記載のカプセル。
【請求項６】
前記外向きに延びるフランジと前記完全に真っ直ぐな基準面との間の前記間隔は、最大３ｍｍ、好ましくは最大２ｍｍ、より好ましくは最大１．２ｍｍである、
請求項１〜５のいずれか一項に記載のカプセル。
【請求項７】
前記封止部材は、前記外向きに延びるフランジと一体であり、前記外向きに延びるフランジから突出する少なくとも１つの突起部を含み、前記少なくとも１つの突起部は、突起頂部を含み、前記少なくとも１つの突起部は、前記カプセルが前記飲料調製装置の前記囲み部材内に位置決めされ、前記囲み部材が前記飲料調製装置の前記閉じ部材によって閉じられるときに、前記突起頂部が前記環状要素の前記自由接触端に半径方向の力をかけるように構成されている、
請求項１〜６のいずれか一項に記載のカプセル。
【請求項８】
前記封止部材は、前記外向きに延びるフランジから突出する更なる突起部、及び、前記２つの突起部の間の平坦部を含み、前記２つの突起部の間は、前記カプセルが前記囲み部材内に配置され、前記囲み部材が前記閉じ部材によって閉じられるときに、前記環状要素の前記自由接触端が、前記２つの突起部の間に囲まれるような距離になっている、
請求項７に記載のカプセル。
【請求項９】
前記２つの突起部のうちの第１の突起部は、前記２つの突起部のうちの第２の突起部よりも、前記外向きに延びるフランジの基部部分から前記蓋が取り付けられた基部部分まで、前記更に突出している、
請求項８に記載のカプセル。
【請求項１０】
前記封止部材及び前記カプセル本体の残部は、同じプレート材料で作られている、
請求項１〜９のいずれか一項に記載のカプセル。
【請求項１１】
加圧下でカプセル内に供給された流体を使用して前記カプセルから飲用可能な飲料を調製するためのシステムであって、
前記カプセルを受けるための囲み部材を含む飲料調製装置であって、前記囲み部材は、前記加圧下でカプセル内に流体を供給する流体注入手段を含み、前記飲料調製装置は、前記飲料調製装置の前記囲み部材を閉じるための抽出プレートなどの閉じ部材を更に含み、前記飲料調製装置の前記囲み部材は、環状要素中心軸線と自由接触端とを有する環状要素を更に含み、前記環状要素の前記自由接触端は、任意選択的に、半径方向に延びる複数の開放溝を備える、飲料調製装置と、
前記飲料調製装置の前記流体注入手段によって前記加圧下でカプセル内に供給された流体により物質を抽出及び／又は溶解することによって飲用可能な飲料を調製するための物質を収容しているカプセルであって、
前記カプセルは、カプセル本体中心軸線を有するアルミニウムカプセル本体を含み、
前記カプセルのカプセル円周方向は、前記カプセル本体中心軸線を中心にして延び、
前記アルミニウムカプセル本体は、底部、側壁、及び外向きに延びるフランジを備え、
前記カプセルは、前記外向きに延びるフランジに取り付けられたアルミニウム蓋を更に含み、
前記蓋は、前記カプセルを密封して閉じ、
前記側壁、前記底部、及び前記蓋は、前記カプセル内部空間を囲み、
前記蓋は、前記内部空間から離れるように向いた外側蓋面を有し、
前記カプセルは、前記カプセルが前記飲料調製装置の前記囲み部材内に位置決めされ、前記囲み部材が前記飲料調製装置の前記閉じ部材の手段によって閉じられるときに、前記カプセルの前記外向きに延びるフランジと、前記カプセルの前記封止部材の少なくとも一部分とが、前記飲料調製装置の前記囲み部材と実質的に封止係合するように、前記飲料調製装置の前記囲み部材と流体封止接触を提供するために、前記外向きに延びるフランジに封止部材を更に含む、カプセルと、を含むシステムであって、
前記カプセルは、前記外側蓋面の支持構造取り付け領域において前記蓋の前記外側蓋面に取り付けられた弾性支持構造を更に含み、
前記カプセル本体中心軸線に沿った突起部として見られる前記支持構造取り付け領域は、前記カプセルが完全に真っ直ぐな基準面上に前記弾性支持構造によって自由に静止しているときに、前記弾性支持構造が、前記外向きに延びるフランジと前記完全に真っ直ぐな基準面との間に間隔を提供し、
前記間隔が、前記カプセルの円周方向の全周にわたって一定であるように、前記外向きに延びるフランジに沿って少なくとも部分的に、及びカプセルの円周方向において少なくとも部分的に延びている
ことを特徴とする、システム。
【請求項１２】
前記カプセルが前記飲料調製装置の前記囲み部材内に位置決めされ、前記囲み部材が前記飲料調製装置の前記閉じ部材によって閉じられるときに、前記カプセルの円周方向の部に沿った前記弾性支持構造が、前記弾性支持構造を少なくとも半径方向に通過し、前記カプセルの前記蓋の前記外側蓋面と前記飲料調製装置の前記閉じ部材との間に延びる飲料漏れ通路を画定する、
請求項１１に記載のシステム。
【請求項１３】
前記支持構造取り付け領域は、前記カプセルの円周方向の全周の閉ループ形状に対して少なくとも１つの中断部を有する形状を有し、前記カプセル本体中心軸線に沿った、前記蓋の前記外側蓋面上の、突起部として見られるような、前記飲料漏れ通路のうちの少なくとも１つの第１の飲料漏れ通路は、前記閉ループ形状に対して、それぞれ前記少なくとも１つの中断部に対応している、
請求項１２に記載のシステム。
【請求項１４】
前記飲料漏れ通路のうちの少なくとも１つの第２の飲料漏れ通路は、前記カプセルが前記完全に真っ直ぐな基準面上に前記弾性支持構造によって自由に静止しているときに、前記弾性支持構造が、前記カプセル本体中心軸線に沿って測定される局所的に減少した高さを有し、前記局所的に減少した高さが、前記外向きに延びるフランジと前記完全に真っ直ぐな基準面との間の前記間隔よりも狭くなるように前記弾性支持構造によって画定されている、
請求項１２又は１３に記載のシステム。
【請求項１５】
前記外向きに延びるフランジと前記完全に真っ直ぐな基準面との間の前記間隔は、少なくとも０．１ｍｍ、好ましくは少なくとも０．２ｍｍ、より好ましくは少なくとも０．８ｍｍである、
請求項１１〜１４のいずれか一項に記載のシステム。
【請求項１６】
前記外向きに延びるフランジと前記完全に真っ直ぐな基準面との間の前記間隔は、最大３ｍｍ、好ましくは最大２ｍｍ、より好ましくは最大１．２ｍｍである、
請求項１１〜１５のいずれか一項に記載のシステム。
【請求項１７】
前記封止部材は、前記外向きに延びるフランジと一体であり、前記外向きに延びるフランジから突出する少なくとも１つの突起部を含み、前記少なくとも１つの突起部は、突起頂部を含み、前記少なくとも１つの突起部は、前記カプセルが前記飲料調製装置の前記囲み部材内に位置決めされ、前記囲み部材が前記飲料調製装置の前記閉じ部材の手段によって閉じられるときに、前記突起頂部が前記環状要素の前記自由接触端に半径方向の力をかけるように構成されている、
請求項１１〜１６のいずれか一項に記載のシステム。
【請求項１８】
前記封止部材は、前記外向きに延びるフランジから突出する更なる突起部、及び、前記２つの突起部の間の平坦部を含み、前記２つの突起部の間は、前記カプセルが前記飲料調製装置の前記囲み部材内に位置決めされ、前記飲料調製装置の前記閉じ部材によって前記囲み部材が閉じられたときに、前記環状要素の前記自由接触端が前記２つの突起部の収束面間で絞られるような距離になっている、
請求項１７に記載のシステム。
【請求項１９】
前記カプセルが前記囲み部材内に位置決めされ、前記囲み部材が前記閉じ部材によって閉じられるときに、前記環状要素の前記自由接触端が、最初に前記２つの突起部のうちの第１の突起部に接触し、その後、前記２つの突起部のうちの第２の突起部に接触するように、前記２つの突起部のうちの第１の突起部は、前記２つの突起部のうちの第２の突起部よりも、前記外向きに延びるフランジの基部部分から、前記蓋が取り付けられた基部部分まで更に突出している、
請求項１８に記載のシステム。
【請求項２０】
前記２つの突起部のうちの前記第１の突起部は、前記２つの突起部のうちの内側の突起部であり、前記第１の周面部分は、前記第２の周面部分よりも半径方向において外側にある、
請求項１８又は１９に記載のシステム。
【請求項２１】
カプセルを受けるための囲み部材を含む飲料調製装置の請求項１〜１０のいずれか一項に記載のカプセルの使用であって、
前記囲み部材は、前記加圧下でカプセル内に流体を供給する流体供注入手段を含み、前記飲料調製装置は、前記飲料調製装置の前記囲み部材を閉じるための抽出プレートなどの閉じ部材を更に含み、前記飲料調製装置の前記囲み部材は、環状要素中心軸線と自由接触端とを有する環状要素を更に含み、前記環状要素の前記自由接触端は、任意選択的に、半径方向の複数の溝を備え、
前記カプセルは、前記飲料調製装置の前記流体供給手段によって前記加圧下でカプセル内に供給された流体により物質を抽出及び／又は溶解することによって飲用可能な飲料を調製するための物質を収容しており、
前記カプセルは、カプセル本体中心軸線を有するアルミニウムカプセル本体を含み、
前記カプセルのカプセル円周方向は、前記カプセル本体中心軸線を中心として延び、
前記アルミニウムカプセル本体は、底部、側壁、及び外向きに延びるフランジを備え、
前記カプセルは、前記外向きに延びるフランジに取り付けられたアルミニウム蓋を更に含み、
前記蓋は、前記カプセルを密封して閉じ、
前記側壁、前記底部、及び前記蓋は、前記カプセル内部空間を囲み、
前記蓋は、前記内部空間から離れるように向いた外側蓋面を有し、
前記カプセルは、前記カプセルが前記飲料調製装置の前記囲み部材内に位置決めされ、前記囲み部材が前記飲料調製装置の前記閉じ部材によって閉じられるときに、前記カプセルの前記外向きに延びるフランジと、前記カプセルの前記封止部材の少なくとも一部分とが、前記飲料調製装置の前記囲み部材と実質的に封止係合するように、前記飲料調製装置の前記囲み部材との流体封止接触を提供するために、前記外向きに延びるフランジに封止部材を更に含み、
前記カプセルは、前記外側蓋面の支持構造取り付け領域において前記蓋の前記外側蓋面に取り付けられた弾性支持構造を更に含み、
前記カプセル本体中心軸線に沿った突起部として見られる前記支持構造取り付け領域は、前記カプセルが完全に真っ直ぐな基準面上に前記弾性支持構造によって自由に静止しているときに、前記弾性支持構造が前記外向きに延びるフランジと前記完全に真っ直ぐな基準面との間に間隔を提供し、
前記間隔が前記カプセルの円周方向の全周にわたって一定であるように、前記外向きに延びるフランジに沿って少なくとも部分的に、及びカプセルの円周方向において少なくとも部分的に延びている
カプセルの使用。
【請求項２２】
前記カプセルが前記飲料調製装置の前記囲み部材内に位置決めされ、前記囲み部材が前記飲料調製装置の前記閉じ部材によって閉じられるときに、前記カプセルの円周方向の部に沿った前記弾性支持構造が、前記弾性支持構造を少なくとも半径方向に通過し、前記カプセルの前記蓋の前記外側蓋面と前記飲料調製装置の前記閉じ部材との間を延びる飲料漏れ通路を画定する、
請求項２１に記載の使用。
【請求項２３】
使用中、淹出時に、前記飲料調製装置の前記囲み部材の自由端は、前記カプセルの前記封止部材に力Ｆ２をかけて、前記カプセルの前記外向きに延びるフランジと前記飲料調製装置の前記囲み部材との間に流体封止接触をもたらし、前記カプセルの外の前記飲料調製装置の前記囲み部材内の流体圧Ｐ２が、６〜２０バール、好ましくは１２〜１８バールの範囲内にあるときに、Ｆ２は、５００〜１５００Ｎの範囲内にあり、好ましくは７５０〜１２５０Ｎの範囲内にあり、前記流体封止接触が存在する、
請求項２１〜２２のいずれか一項に記載の使用。
【請求項２４】
使用中、淹出する前又は淹出開始時に、前記飲料調製装置の前記囲み部材の自由端は、前記カプセルの前記封止部材に力Ｆ１をかけて、前記カプセルの前記外向きに延びるフランジと前記飲料調製装置の前記囲み部材との間に流体封止接触をもたらし、前記カプセルの外の前記飲料調製装置の前記囲み部材内の流体圧Ｐ１が、０．１〜４バール、好ましくは０．１〜１バールの範囲内にあるときに、Ｆ１は、３０〜１５０Ｎ、好ましくは４０〜１５０Ｎ、より好ましくは５０〜１００Ｎの範囲内にあり、前記流体封止接触が存在する、
請求項２１〜２３のいずれか一項に記載の使用。
【請求項２５】
前記半径方向に延びる複数の開放溝は、前記飲料調製装置の前記環状要素の前記自由接触端の接線方向において互いに対して均一に間隔を空けて配置されている、
請求項２１〜２４のいずれか一項に記載の使用。